(57)【特許請求の範囲】
【請求項１】
配線器具を取着するための取着部を枠本体に少なくとも一対備え、壁材に四角形状に形成された壁孔を介して前記壁材の裏側に配置されるとともに、前記取着部を用いて前記配線器具が前記壁材に設置されることで、前記壁材の裏側に設置される器具取付枠であって、
前記枠本体が、一対の挟持片、及び該挟持片の長辺方向の一端部を連結する連結片からなるとともに、前記挟持片の他端側が開放されたコ字状に形成されており、
前記枠本体の一側面に、前記壁材の裏面における前記壁孔の周縁に当接する当接面を有するとともに、
前記一側面から立設され、前記壁孔の四つの内側面に当接して前記枠本体の移動を規制する規制部を有し、
前記規制部は、前記挟持片の長辺方向の一端側に形成された第１の規制部と、前記挟持片の長辺方向の他端側に形成された第２の規制部と、を備え、
前記第１の規制部を前記連結片の幅分だけ内よりに配置し、前記第２の規制部を前記挟持片の他端より外方に突出して配置した器具取付枠。
【請求項２】
配線器具を取着するための取着部を枠本体に少なくとも一対備え、壁材に四角形状に形成された壁孔を介して前記壁材の裏側に配置されるとともに、前記取着部を用いて前記配線器具が前記壁材に設置されることで、前記壁材の裏側に設置される器具取付枠であって、
前記枠本体が、一対の挟持片、及び該挟持片の長辺方向の一端部を連結する連結片からなるとともに、前記挟持片の他端側が開放されたコ字状に形成されており、
前記枠本体の一側面に、前記壁材の裏面における前記壁孔の周縁に当接する当接面を有するとともに、
前記一側面から立設され、前記壁孔の四つの内側面に当接して前記枠本体の移動を規制する規制部を有し、
前記規制部が前記挟持片の長辺方向の他端から外方に突出し、且つ、前記挟持片の長辺方向に沿った長さが前記壁孔の幅と同一幅又は短い幅に形成されている器具取付枠。
【請求項３】
前記規制部は、前記壁孔の角部の内側に配置されるように複数設けられるとともに、各規制部は、前記角部を形成する隣り合う内側面に当接する請求項１又は請求項２に記載の器具取付枠。
【発明の詳細な説明】
【技術分野】
【０００１】
本発明は、壁材に四角形状に形成された壁孔を介して壁材の裏側に配置されるとともに、取着部を用いて配線器具が壁材に設置されることで、壁材の裏側に設置される器具取付枠に関する。
【背景技術】
【０００２】
この種の器具取付枠としては、例えば、特許文献１に開示の挟み金具が挙げられる。図８（ａ）に示すように、特許文献１の挟み金具８０は、上下に対向する一対の側辺部８１と、それら側辺部８１の長辺方向の一端部同士を連結する連結部８２とから、コ字状に形成されるとともに、側辺部８１の長辺方向他端側に開口８３が形成されている。そして、挟み金具８０は、コ字状に形成されることで、有底四角箱状に形成される場合と比べて、壁材９０の壁孔９０ａを容易に通過させ、壁材９０の裏側に簡単に配置することができるようになっている。
【０００３】
また、連結部８２には、仮止め用穴８２ａが二箇所に形成されている。この仮止め用穴８２ａには、Ｌ字形の仮止め具８４が差し込まれるようになっている。図８（ｂ）に示すように、仮止め具８４は、仮止め用穴８２ａに差し込まれる細長板状の差込部８４ａと、差込部８４ａの仮止め用穴８２ａへの差し込み時に、壁材９０の表面に当接する薄板状の当接部８４ｂと、からなる。また、図８（ａ）に示すように、各側辺部８１の他端側には、ネジ孔８１ａが形成されている。
【０００４】
挟み金具８０を用いて配線器具（図示せず）を壁材９０に設置する際、挟み金具８０は、壁材９０に形成された四角形状の壁孔９０ａを介して壁材９０の裏側に配置される。そして、仮止め具８４の差込部８４ａを連結部８２の仮止め用穴８２ａに差し込むとともに、仮止め具８４の当接部８４ｂと、挟み金具８０とで壁材９０を挟持することで、挟み金具８０が壁材９０の裏側に仮固定される。
【０００５】
その後、壁材９０の表側に、配線器具を保持した取付枠（共に図示せず）を配置するとともに、その取付枠に挿通されたネジを、挟み金具８０のネジ孔８１ａに螺合し、挟み金具８０と取付枠とで壁材９０を挟持することにより、取付枠に保持された配線器具が、壁材９０に設置される。
【先行技術文献】
【特許文献】
【０００６】
【特許文献１】実開平４−１１１２２０号公報
【発明の概要】
【発明が解決しようとする課題】
【０００７】
ところで、特許文献１の挟み金具８０において、壁材９０の裏側への仮固定は、二つの仮止め具８４と、挟み金具８０とで壁材９０を挟持することで行われる。そして、仮固定された挟み金具８０においては、仮止め具８４の差込部８４ａが、対向する壁孔９０ａの内側面に当接した場合だけ、その当接方向への挟み金具８０の移動が規制される。しかし、当接方向以外のその他の方向については、挟み金具８０の移動を規制することができないという問題があった。
【０００８】
本発明は、上記従来の問題に鑑みてなされたものであって、その目的は、壁材の裏側に簡単に配置することができるとともに、壁材の裏側での移動を規制することができる器具取付枠を提供することにある。
【課題を解決するための手段】
【０００９】
上記問題点を解決するために、請求項１に記載の発明は、配線器具を取着するための取着部を枠本体に少なくとも一対備え、壁材に四角形状に形成された壁孔を介して前記壁材の裏側に配置されるとともに、前記取着部を用いて前記配線器具が前記壁材に設置されることで、前記壁材の裏側に設置される器具取付枠であって、前記枠本体が、一対の挟持片、及び該挟持片の長辺方向の一端部を連結する連結片からなるとともに、前記挟持片の他端側が開放されたコ字状に形成されており、前記枠本体の一側面に、前記壁材の裏面における前記壁孔の周縁に当接する当接面を有するとともに、前記一側面から立設され、前記壁孔の四つの内側面に当接して前記枠本体の移動を規制する規制部を有し、前記規制部は、前記挟持片の長辺方向の一端側に形成された第１の規制部と、前記挟持片の長辺方向の他端側に形成された第２の規制部と、を備え、前記第１の規制部を前記連結片の幅分だけ内よりに配置し、前記第２の規制部を前記挟持片の他端より外方に突出して配置したことを要旨とする。
【００１０】
請求項２に記載の発明は、配線器具を取着するための取着部を枠本体に少なくとも一対備え、壁材に四角形状に形成された壁孔を介して前記壁材の裏側に配置されるとともに、前記取着部を用いて前記配線器具が前記壁材に設置されることで、前記壁材の裏側に設置される器具取付枠であって、前記枠本体が、一対の挟持片、及び該挟持片の長辺方向の一端部を連結する連結片からなるとともに、前記挟持片の他端側が開放されたコ字状に形成されており、前記枠本体の一側面に、前記壁材の裏面における前記壁孔の周縁に当接する当接面を有するとともに、前記一側面から立設され、前記壁孔の四つの内側面に当接して前記枠本体の移動を規制する規制部を有し、前記規制部が前記挟持片の長辺方向の他端から外方に突出し、且つ、前記挟持片の長辺方向に沿った長さが前記壁孔の幅と同一幅又は短い幅に形成されていることを要旨とする。
【００１１】
請求項３に記載の発明は、請求項１又は請求項２に記載の器具取付枠において、前記規制部は、前記壁孔の角部の内側に配置されるように複数設けられるとともに、各規制部は、前記角部を形成する隣り合う内側面に当接することを要旨とする。
【発明の効果】
【００１２】
本発明によれば、壁材の裏側に簡単に配置することができるとともに、壁材の裏側での移動を規制することができる。
【図面の簡単な説明】
【００１３】
【図１】実施形態の器具取付枠、及び器具保持枠を示す斜視図。
【図２】（ａ）は器具取付枠を示す正面図、（ｂ）は図２（ａ）の２ｂ−２ｂ線断面図。
【図３】器具取付枠を壁材の裏側に配置した状態を示す正面図。
【図４】器具取付枠を壁材の裏側に配置した状態を示す図３の４−４線断面図。
【図５】（ａ）は器具取付枠を壁材に押し付けた状態を示す正面図、（ｂ）は罫書用突起を壁材に食い込ませた状態を示す断面図、（ｃ）は壁材に表示された突起跡及び罫書線を示す正面図。
【図６】器具取付枠に器具保持枠を組み付けた状態を示す斜視図。
【図７】配線器具を壁材に設置した状態を示す断面図。
【図８】（ａ）は背景技術の挟み金具を示す正面図、（ｂ）は背景技術における仮止め具を示す斜視図。
【発明を実施するための形態】
【００１４】
以下、本発明を具体化した一実施形態を図１〜図７にしたがって説明する。
図１に示すように、器具取付枠１１は、壁材Ｗに配線器具Ｈを設置するために、壁材Ｗに形成された壁孔Ｗａを介して壁材Ｗの裏側に配置されて使用されるものである。なお、壁孔Ｗａは、縦長四角形状をなし、四つの内側面である上側面Ｗ１、下側面Ｗ２、右側面Ｗ３、及び左側面Ｗ４によって囲み形成されている。
【００１５】
器具取付枠１１の枠本体１２は、合成樹脂材料により縦長のコ字状に形成されるとともに、上下に対向する挟持片１３と、両挟持片１３の長辺方向の一端部（図１では左端部）同士を連結する連結片１４とからなる。枠本体１２は、連結片１４の長辺方向が長辺方向となり、挟持片１３の長辺方向が枠本体１２の短辺方向となる。また、一対の挟持片１３と、連結片１４とから、枠本体１２の内側に、開口部１５が囲み形成されている。図３に示すように、開口部１５は、両挟持片１３の長辺方向の他端側（図３では右端側）が、開放されている。
【００１６】
開口部１５の長辺方向への長さＬ１は、壁孔Ｗａの長辺方向への長さＮ１より短くなっている。また、開口部１５の短辺方向への長さＬ２も、壁孔Ｗａの短辺方向への長さＮ２より短くなっている。また、枠本体１２において、連結片１４の長辺方向への長さＴ１は、壁孔Ｗａの長辺方向への長さＮ１より長く、枠本体１２において、挟持片１３の長辺方向への長さＴ２は、壁孔Ｗａの開口幅、すなわち短辺方向への長さＮ２と同じになっている。
【００１７】
枠本体１２において、縦長のコ字状をなす前面（一側面）全体のうち、挟持片１３の開口部１５側の縁部を除いた部位は、壁材Ｗの裏側から壁材Ｗの裏面に当接する当接面１２ａとなっている。この当接面１２ａは縦長のコ字状をなすとともに、壁材Ｗの裏面において、壁孔Ｗａの周縁、詳細には、上側面Ｗ１、下側面Ｗ２、及び左側面Ｗ４に沿った縁部に当接するようになっている。図１、図２（ａ）及び（ｂ）に示すように、両挟持片１３の前面（枠本体１２の前面）には、薄板状をなす係止突部１７が一対ずつ前方へ突設されるとともに、各係止突部１７は弾性変形可能になっている。上側の各係止突部１７の先端には、爪片１７ａが上方に向かうに従い尖るように形成されるとともに、下側の各係止突部１７の先端には、爪片１７ａが下方に向かうに従い尖るように形成されている。
【００１８】
両挟持片１３の前面（枠本体１２の前面）において、挟持片１３の長辺方向に沿った各係止突部１７の外側には、薄板状をなす規制部としての第１の規制突部１８ａ及び第２の規制突部１８ｂが前方に向けて突設されている。第１及び第２の規制突部１８ａ，１８ｂはそれぞれ矩形板状をなし、その長辺方向が、挟持片１３の長辺方向（左右方向）へ延びるとともに、短辺方向が、枠本体１２に対する前後方向へ延びるように形成されている。各挟持片１３に形成された第１の規制突部１８ａと、第２の規制突部１８ｂとは、それぞれ挟持片１３の長辺方向へ延びる同一平面Ｓ上に位置している。さらに、第１及び第２の規制突部１８ａ，１８ｂの短辺方向への長さ（当接面１２ａからの突出長さ）は、壁材Ｗの厚み（壁孔Ｗａの厚み）より短くなっている。
【００１９】
第１の規制突部１８ａは、各挟持片１３の長辺方向一端（左端）側に形成されるとともに、第２の規制突部１８ｂは、各挟持片１３の長辺方向他端（右端）側に形成されている。詳細には、第１の規制突部１８ａは、各挟持片１３の長辺方向の一端よりも連結片１４の幅分だけ内寄りに形成されている。一方、第２の規制突部１８ｂは、各挟持片１３の長辺方向の他端を外方に越えて突出するように形成されている。
【００２０】
図２（ａ）及び図３に示すように、上側の第１及び第２の規制突部１８ａ，１８ｂの上面と、下側の第１及び第２の規制突部１８ａ，１８ｂの下面との間の距離Ｋ１は、壁孔Ｗａの長辺方向への長さＮ１より僅かに短くなっている。さらに、第１の規制突部１８ａの外側端（左側端）と第２の規制突部１８ｂの外側端（右側端）間の距離Ｋ２は、壁孔Ｗａの短辺方向への長さＮ２より僅かに短くなっているとともに、挟持片１３の長辺方向への長さＴ２と同じになっている。
【００２１】
そして、各挟持片１３の第１の規制突部１８ａと第２の規制突部１８ｂを、挟持片１３の長辺方向へ延びる一纏まりの規制部材Ｒと想定とした場合、挟持片１３と同じ長さの規制部材Ｒが、挟持片１３の長辺方向に沿って位置ずれした位置に配置されている。詳細には、規制部材Ｒは、挟持片１３の長辺方向に沿って連結片１４の幅分だけ内側へ位置ずれした位置に配置されている。また、第１及び第２の規制突部１８ａ，１８ｂを壁孔Ｗａ内に挿入したとき、各規制突部１８ａ，１８ｂは、壁孔Ｗａの各角部の内側に位置するようになっている。
【００２２】
両挟持片１３の長辺方向一端側に設けられた第１の規制突部１８ａの前面において、長辺方向の外側端（左側端）の上下それぞれには罫書用突起１８ｃが前方に向けて突設されている。また、両挟持片１３の長辺方向他端側に設けられた第２の規制突部１８ｂの前面において、その長辺方向の外側端（右側端）の上下それぞれには罫書用突起１８ｃが前方に向けて突設されている。各罫書用突起１８ｃは、三角錐状をなし、前方に向かうに従い尖るように形成されている。そして、四つの規制突部１８ａ，１８ｂを壁孔Ｗａ内に挿入したとき、各罫書用突起１８ｃは、壁孔Ｗａの各角部の内側に位置するようになっている。
【００２３】
各挟持片１３において、左右に隣り合う一対の係止突部１７の間には、螺入孔１９が枠本体１２を厚み方向に貫通して形成されている。この螺入孔１９には、ナット（図示せず）が、枠本体１２の厚み方向へ移動不能に嵌入されるとともに、このナットにより螺入孔１９の内周面に雌ねじが形成されている。よって、本実施形態では、螺入孔１９及びナットにより取着部が形成されている。そして、枠本体１２に、係止突部１７、第１及び第２の規制突部１８ａ，１８ｂ、及び螺入孔１９が形成されて器具取付枠１１が形成されている。
【００２４】
次に、配線器具Ｈを保持する器具保持枠２０について説明する。
図１に示すように、器具保持枠２０は、縦長の四角枠状に形成されるとともに、器具保持枠２０の内側には、縦長四角形状の保持孔２１が形成されている。なお、器具保持枠２０の長辺方向への長さＭ１は、壁孔Ｗａの長辺方向への長さＮ１より長くなっている。一方、器具保持枠２０の短辺方向への長さＭ２は、壁孔Ｗａの短辺方向への長さＮ２より短くなっている。器具保持枠２０の上下両部には、横長の挿通孔２２が器具保持枠２０を厚み方向に貫通して形成されている。
【００２５】
次に、器具取付枠１１及び器具保持枠２０を用いて配線器具Ｈを壁材Ｗに設置する方法について説明する。
まず、図５（ａ）及び（ｂ）に示すように、壁材Ｗの表面において、壁孔Ｗａを形成する位置に、四つの罫書用突起１８ｃが壁孔Ｗａの四つの角部の内側に位置するように器具取付枠１１を配置し、器具取付枠１１を壁材Ｗの表面に押し付けて四つの罫書用突起１８ｃを壁材Ｗの表面に食い込ませる。図５（ｃ）に示すように、器具取付枠１１を壁材Ｗから取り外すと、四つの罫書用突起１８ｃが食い込んだ位置それぞれに突起跡Ｐが形成される。そして、四つの突起跡Ｐを直線状の罫書線Ｑで結ぶと、壁孔Ｗａの外形線が壁材Ｗに罫書かれる。その後、罫書線Ｑに沿って壁材Ｗを切除することにより壁材Ｗに壁孔Ｗａが穿設される。
【００２６】
次に、図６に示すように、配線器具Ｈを器具保持枠２０の保持孔２１に保持させるとともに、器具保持枠２０の上側の挿通孔２２にビス２３を挿通する。そして、このビス２３を、器具取付枠１１の上側の螺入孔１９に挿入するとともに、ナットに螺入し、器具取付枠１１と器具保持枠２０を仮固定する。すると、器具取付枠１１と器具保持枠２０は、それぞれビス２３を回動軸として互いに回動自在に連結される。さらに、各配線器具ＨにケーブルＫを接続する。
【００２７】
そして、器具保持枠２０を壁材Ｗの表側に配置しつつ、器具取付枠１１のみを壁孔Ｗａを通過させる。このとき、ビス２３を回動中心として器具取付枠１１を回動させ、壁孔Ｗａの開口縁を開口部１５内に位置させるようにし、器具取付枠１１を壁孔Ｗａを通過させる。そして、器具取付枠１１が壁材Ｗの裏側に配置されると、器具保持枠２０は、壁材Ｗの表側に配置されるとともに、ビス２３により、器具取付枠１１は壁材Ｗの裏側に支持される。
【００２８】
続いて、壁材Ｗの裏側で、器具取付枠１１の当接面１２ａを壁材Ｗの裏面に当接させるとともに、四つの規制突部１８ａ，１８ｂを壁孔Ｗａ内に挿入する。図３に示すように、上側の第１及び第２の規制突部１８ａ，１８ｂにおいては、右側の第２の規制突部１８ｂは、上面が壁孔Ｗａの上側面Ｗ１に当接するとともに、右側端が、上側面Ｗ１に隣り合う右側面Ｗ３に当接する。左側の第２の規制突部１８ｂは、上面が壁孔Ｗａの上側面Ｗ１に当接するとともに、左側端が、上側面Ｗ１に隣り合う左側面Ｗ４に当接する。
【００２９】
下側の第１及び第２の規制突部１８ａ，１８ｂにおいては、右側の第２の規制突部１８ｂは、下面が壁孔Ｗａの下側面Ｗ２に当接支持されるとともに、右側端が、下側面Ｗ２に隣り合う右側面Ｗ３に当接する。左側の第１の規制突部１８ａは、下面が壁孔Ｗａの下側面Ｗ２に当接支持されるとともに、左側端が、下側面Ｗ２に隣り合う左側面Ｗ４に当接する。
【００３０】
そして、四つの規制突部１８ａ，１８ｂが壁孔Ｗａに挿入された状態では、下側の第１及び第２の規制突部１８ａ，１８ｂが、壁孔Ｗａの下側面Ｗ２に支持されることにより、器具取付枠１１が壁材Ｗに位置決めされる。この位置決め状態では、枠本体１２の当接面１２ａのうち、両挟持片１３での当接面１２ａが、壁孔Ｗａの上下両縁部に当接するとともに、連結片１４での当接面１２ａ全体が、壁孔Ｗａの左縁部に当接している。また、器具取付枠１１の開口部１５が、壁孔Ｗａから壁材Ｗの表側に臨むとともに、螺入孔１９も壁孔Ｗａから壁材Ｗの表側に臨んでいる。
【００３１】
さらに、図４に示すように、上側の係止突部１７の各爪片１７ａを、壁孔Ｗａの上側面Ｗ１に食い込ませて係止させるとともに、下側の係止突部１７の各爪片１７ａを、壁孔Ｗａの下側面Ｗ２に食い込ませて係止させる。すると、各爪片１７ａの係止により、器具取付枠１１が壁材Ｗの裏側へ落下することが規制される。
【００３２】
続いて、図７に示すように、器具取付枠１１に対し、上側のナットに螺入されたビス２３をさらに螺入する。また、器具保持枠２０の下側の挿通孔２２に対し、ビス２３を挿通するとともに、そのビス２３を器具取付枠１１の下側の螺入孔１９のナットに螺入する。そして、両ビス２３を増締めすると、ビス２３のナットへの螺進に伴い器具保持枠２０が壁材Ｗに引寄せられるとともに、器具取付枠１１の両挟持片１３と、器具保持枠２０の上下両部との間に壁材Ｗが挟持される。ビス２３のナットへの螺入により、配線器具Ｈが壁材Ｗの表側に設置されることで、器具取付枠１１が壁材Ｗの裏側に設置される。このとき、枠本体１２の当接面１２ａが、壁材Ｗの裏面における壁孔Ｗａの周縁部に当接する。
【００３３】
次に、器具取付枠１１の作用について説明する。
器具取付枠１１において、挟持片１３の長辺方向への長さＴ２は、壁孔Ｗａの幅（短辺方向への長さＮ２）と同じになっている。このため、器具取付枠１１を壁孔Ｗａを通過させる作業が容易に行われる。また、四つの規制突部１８ａ，１８ｂが壁孔Ｗａに挿入された状態では、各規制突部１８ａ，１８ｂが壁孔Ｗａの四つの内側面Ｗ１〜Ｗ４に当接する。このため、枠本体１２に対し、上下左右のいずれかの方向へ移動させる力が作用しても、各規制突部１８ａ，１８ｂそれぞれが移動方向の先にある内側面Ｗ１〜Ｗ４に当接し、枠本体１２の上下左右方向への移動が規制される。その結果、器具取付枠１１が、開口部１５及び螺入孔１９が壁材Ｗの表側に臨む位置で位置決めされるため、器具取付枠１１のナットに対するビス２３の螺入作業を容易に行うことができる。
【００３４】
また、二つの挟持片１３において、第１の規制突部１８ａと第２の規制突部１８ｂとからなる規制部材Ｒの長辺方向への長さは、壁孔Ｗａの幅（短辺方向への長さＮ２）と同じになっている。また、規制部材Ｒは、挟持片１３の長辺方向に沿って他端寄りに位置ずれして配置されている。このため、四つの規制突部１８ａ，１８ｂが壁孔Ｗａの内側面Ｗ１〜Ｗ４に当接した状態では、連結片１４全体が壁孔Ｗａ裏面に当接し、連結片１４が壁孔Ｗａ内に露出することが回避される。
【００３５】
上記実施形態によれば、以下のような効果を得ることができる。
（１）器具取付枠１１において、枠本体１２を、一対の挟持片１３と、挟持片１３の一端部同士を連結する連結片１４とから、コ字状に形成した。このため、器具取付枠１１が有底四角箱状に形成される場合と比べると、枠本体１２の開口部１５を利用することで、壁孔Ｗａに対し器具取付枠１１を通過させる作業を容易に行うことができ、結果として器具取付枠１１を壁材Ｗの裏側に簡単に配置することができる。
【００３６】
（２）器具取付枠１１において、挟持片１３の長辺方向への長さＴ２は、壁孔Ｗａの幅（短辺方向への長さＮ２）と同じになっている。このため、器具取付枠１１を挟持片１３の長辺方向に沿って挿入したとき、挟持片１３の長辺方向への長さＴ２が、壁孔Ｗａの幅より長い場合と比べると、壁孔Ｗａに対し器具取付枠１１を通過させる作業を容易に行うことができる。
【００３７】
（３）器具取付枠１１において、各挟持片１３の長辺方向一端側に第１の規制突部１８ａを形成するとともに、他端側に第２の規制突部１８ｂを形成した。そして、第１及び第２の規制突部１８ａ，１８ｂを壁孔Ｗａに挿入すると、各規制突部１８ａ，１８ｂが壁孔Ｗａの四つの内側面Ｗ１〜Ｗ４に当接し、この当接により器具取付枠１１の上下左右方向への移動を規制し、開口部１５が壁孔Ｗａに臨む位置で簡単に位置決めすることができる。
【００３８】
（４）器具取付枠１１において、各挟持片１３の長辺方向一端側に第１の規制突部１８ａを形成するとともに、他端側に第２の規制突部１８ｂを形成した。また、第１の規制突部１８ａを、連結片１４の幅分だけ内寄りに配置し、第２の規制突部１８ｂを挟持片１３の他端より外方に突出して配置した。そして、第１の規制突部１８ａと第２の規制突部１８ｂを一つの規制部材Ｒとした場合、規制部材Ｒは、挟持片１３の長辺方向に沿って他端側に位置ずれした位置に配置されている。このため、規制部材Ｒの両外側端が、壁孔Ｗａの右側面Ｗ３及び左側面Ｗ４に当接した状態では、連結片１４での当接面１２ａ全体が壁材Ｗに当接し、壁孔Ｗａ内に連結片１４が露出していない。よって、第１及び第２の規制突部１８ａ，１８ｂの配置を設定することで、器具取付枠１１が壁孔Ｗａを狭めることが防止できる。
【００３９】
（５）器具取付枠１１において、第１の規制突部１８ａを、挟持片１３の一端より内寄りに配置し、第２の規制突部１８ｂを挟持片１３の他端より外方に突出して配置した。そして、左右一組の第１の規制突部１８ａと第２の規制突部１８ｂを一つの規制部材Ｒとした場合、規制部材Ｒは、挟持片１３の長辺方向に沿って他端側に位置ずれした位置に配置されている。このため、規制部材Ｒの両外側端が、壁孔Ｗａの右側面Ｗ３及び左側面Ｗ４に当接した状態では、壁材Ｗの裏面に対し、挟持片１３での当接面１２ａ、及び連結片１４での当接面１２ａが当接する。このため、配線器具Ｈを操作することに伴い、器具取付枠１１を壁材Ｗに押し付ける力が作用しても、その力を枠本体１２の三辺（一対の挟持片１３と、連結片１４）で受承することができ、器具取付枠１１が損傷することを防止することができる。
【００４０】
（６）第１及び第２の規制突部１８ａ，１８ｂは、各挟持片１３に一つずつ突設されている。このため、四つの規制突部１８ａ，１８ｂは壁孔Ｗａの上側面Ｗ１と下側面Ｗ２寄りに配置することができ、四つの規制突部１８ａ，１８ｂが壁孔Ｗａを大きく邪魔することがなく、第１及び第２の規制突部１８ａ，１８ｂが、配線器具Ｈ設置の妨げになることを防止することができる。
【００４１】
（７）第１及び第２の規制突部１８ａ，１８ｂは、各挟持片１３に一つずつ突設され、連結片１４には規制突部１８ａ，１８ｂが形成されていない。このため、連結片１４が、壁孔Ｗａ内に位置することがなく、壁孔Ｗａの短辺方向が器具取付枠１１によって狭められることを防止することができる。
【００４２】
（８）第１及び第２の規制突部１８ａ，１８ｂは、各挟持片１３に一つずつ突設され、連結片１４には規制突部１８ａ，１８ｂが形成されていない。このため、枠本体１２をコ字状に形成して右側方を開放させることができる。したがって、枠本体１２に四つの規制突部１８ａ，１８ｂを形成しつつも、器具取付枠１１をコ字状に形成することが可能になり、器具取付枠１１を壁孔Ｗａを簡単に通過させることができ、器具取付枠１１を壁材Ｗの裏側に簡単に配置することができる。
【００４３】
（９）枠本体１２には、係止突部１７が形成されるとともに、この係止突部１７は、壁孔Ｗａの上側面Ｗ１及び下側面Ｗ２に係止する。このため、ビス２３を器具取付枠１１の螺入孔１９に螺入する際、器具取付枠１１に壁材Ｗの裏側へ押す力が作用しても、係止突部１７の係止により器具取付枠１１の壁材Ｗの裏側への移動を規制することができる。したがって、ビス２３の螺入作業時に、器具取付枠１１を手で押さえて壁材Ｗの裏側へ移動することを規制する必要がなく、ビス２３の螺入作業を簡単に行うことができる。
【００４４】
（１０）器具取付枠１１の枠本体１２には、第１及び第２の規制突部１８ａ，１８ｂに加え、罫書用突起１８ｃが形成されている。このため、第１及び第２の規制突部１８ａ，１８ｂにより器具取付枠１１を位置決めすることができるとともに、罫書用突起１８ｃにより壁材Ｗに壁孔Ｗａを穿設する作業を簡単に行うことができる。そして、罫書用突起１８ｃは、第１及び第２の規制突部１８ａ，１８ｂの前面に形成されており、第１及び第２の規制突部１８ａ，１８ｂが壁孔Ｗａに挿入されると、壁材Ｗに食い込むことなく壁孔Ｗａ内に配置される。したがって、罫書用突起１８ｃが壁材Ｗの裏側での器具取付枠１１の配置の妨げになることがない。
【００４５】
なお、上記実施形態は以下のように変更してもよい。
○  実施形態では、第１及び第２の規制突部１８ａ，１８ｂに罫書用突起１８ｃを設けたが、罫書用突起１８ｃは無くてもよい。
【００４６】
○  実施形態では、枠本体１２に係止突部１７を設けたが、係止突部１７は無くてもよい。
○  実施形態では、枠本体１２に第１及び第２の規制突部１８ａ，１８ｂに加え、係止突部１７を別体で設けたが、第１及び第２の規制突部１８ａ，１８ｂのみを形成するとともに、各規制突部１８ａ，１８ｂに爪片を突設して、その爪片を壁孔Ｗａの内側面に係止させ、各規制突部１８ａ，１８ｂが係止部を兼ねる構成としてもよい。
【００４７】
○  実施形態では、第１の規制突部１８ａを連結片１４の幅分だけ内寄りとなるように挟持片１３に形成したが、第１の規制突部１８ａは連結片１４に跨る位置に形成されていてもよい。
【００４８】
○  実施形態では、規制部として四つの規制突部１８ａ，１８ｂに具体化したが、規制部をコ字状をなす突条に具体化してもよい。この突条は、上下両挟持片１３及び連結片１４に跨って延びるように形成される。この突条の両先端は、挟持片１３の他端から外方に突出している。そして、突条の上面が壁孔Ｗａの上側面Ｗ１に当接するとともに、突条の下面が壁孔Ｗａの下側面Ｗ２に当接する。さらに、突条の左側面が壁孔Ｗａの左側面Ｗ４に当接するとともに、突条の上下両先端が、壁孔Ｗａの右側面Ｗ３に当接する。
【００４９】
○  実施形態では、規制部として四つの規制突部１８ａ，１８ｂに具体化したが、上下右側の第２の規制突部１８ｂのいずれか一つを削除し、三つの規制突部１８ａ，１８ｂとしてもよい。このように構成しても、右側の一つの第２の規制突部１８ｂが、壁孔Ｗａの右側面Ｗ３に当接し、残りの左側二つの第１の規制突部１８ａが、壁孔Ｗａの上側面Ｗ１、下側面Ｗ２、及び左側面Ｗ４に当接するため、三つの規制突部１８ａ，１８ｂが壁孔Ｗａの四つの内側面Ｗ１〜Ｗ４に当接する。
【００５０】
○  実施形態では、枠本体１２における挟持片１３の長辺方向に沿った長さＴ２を、壁孔Ｗａの幅（短辺方向に沿った長さＮ２）と同じにしたが、枠本体１２における挟持片１３の長辺方向に沿った長さＴ２を、壁孔Ｗａの幅より短くしてもよい。
【００５１】
○  実施形態では、器具取付枠１１を、取着部としての螺入孔１９及びナットを上下一対備えるタイプに具体化したが、器具取付枠１１を、枠本体１２を短辺方向に延長し、取着部を上下二対以上備えるタイプに変更してもよい。
【００５２】
○  実施形態では、配線器具Ｈを壁材Ｗに設置する際、ビス２３によって器具取付枠１１と器具保持枠２０を組み付けた状態で、器具取付枠１１を壁材Ｗの裏側に配置するようにしたが、これに限らない。すなわち、器具取付枠１１と器具保持枠２０を組み付けず、器具取付枠１１のみを壁材Ｗの裏側に配置し、その後、ビス２３によって器具取付枠１１に器具保持枠２０を組み付けてもよい。
【００５３】
次に、上記実施形態及び別例から把握できる技術的思想について以下に追記する。
（イ）前記挟持片の長辺方向一端側に形成された規制部は、前記連結片の幅分だけ枠本体の内寄りに配置されるとともに、前記挟持片の長辺方向に沿った両規制部の外側端間の距離は前記壁孔の幅と同じに設定されている請求項３に記載の器具取付枠。  
【００５４】
（ロ）前記壁孔の内側面に係止するとともに弾性変形可能な係止突部を前記一側面に備える請求項１〜請求項３、及び技術的思想（イ）のうちいずれか一項に記載の器具取付枠。
【符号の説明】
【００５５】
Ｈ…配線器具、Ｗ…壁材、Ｗａ…壁孔、Ｗ１〜Ｗ４…壁材の内側面、１１…器具取付枠、１２…枠本体、１２ａ…当接面、１３…挟持片、１４…連結片、１８ａ…規制部としての第１の規制突部、１８ｂ…規制部としての第２の規制突部、１９…取着部を形成する螺入孔。
【図１】
0005715489.tif 000002
【図２】
0005715489.tif 000003
【図３】
0005715489.tif 000004
【図４】
0005715489.tif 000005
【図５】
0005715489.tif 000006
【図６】
0005715489.tif 000007
【図７】
0005715489.tif 000008
【図８】
0005715489.tif 000009